【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】  １対の取外し可能な供給ロールと共に使用するためのマスター処理装置であって、前記取外し可能な供給ロールが、繰出されるストック材料の供給源を担持しており、少なくとも１つのストック材料が接着層を備えている形式のものにおいて、前記装置が、
供給ロールを取外し可能に取付けるように構成かつ配置されたフレームと、
マスター処理組立体と、
マスター処理組立体の動作に影響を及ぼすように構成かつ配置されたアクチュエーターと、を有し、
フレームは、供給ロールがフレームに取り外し可能に取り付けられる時に、マスターが、取外し可能な供給ロールからそれぞれ繰り出されマスターの両側にそれぞれ配置されるストック材料と共に、マスター処理組立体内に挿入可能なように構成かつ配置され、
マスター処理組立体は、マスター処理組立体がマスターとストック材料との間の接着を行なわせその後に処理されたマスターとストック材料とを外方に排出するマスター処理動作を行なうように構成かつ配置され、
前記装置は更に、
ロールの排出側に隣接してフレームから外方に延びる基材支持面を備える送出トレーであり、基材支持面が、マスター処理組立体から排出される処理済みマスターおよびストック材料をフレームの外側で事実上平らに受容し支持して、処理済みマスターおよびストック材料がマスター処理組立体から排出される時に処理済みマスターおよびストック材料の下方への曲げを防止するように、位置決めかつ構成されている送出トレーを有する、マスター処理装置。
【請求項２】  前記基材支持面が、マスター処理組立体から長手方向に延在する概して平行な複数隆起部を有し、これらの隆起部が、加工済みのマスターおよびストック材料を、前記隆起部間に延在する前記支持面部分に対し間隔をおいて支持するように構成されている、請求項１に記載されたマスター処理装置。
【請求項３】  前記送出トレーがプラスチック製である、請求項２に記載されたマスター処理装置。
【請求項４】  前記送出トレーが前記ニップ区域の排出側内へ延在するテーパ付き縁部を有している、請求項１に記載されたマスター処理装置。
【請求項５】  更に送出トレーの反対側でマスター処理組立体に隣接配置された供給トレーを含み、前記供給トレーが、前記マスター処理組立体内へのマスター供給時に、マスターを案内かつ支持するように位置決めかつ構成されたマスター支持面を備えている、請求項１に記載されたマスター処理装置。
【請求項６】  前記供給トレーが、マスター支持面上のマスターの上向き面に接触するように位置決めかつ構成されたワイパーバーを含み、前記マスター処理組立体内へのマスターの供給時に、マスターの上向き面から屑が払拭され、マスターが滑らかにされる、請求項５に記載されたマスター処理装置。
【請求項７】  更に、マスター組立体の前記排出側に配置された切断組立体を含み、
前記切断組立体が、前記送出トレー上に事実上平らに支持される加工済みマスターおよびストック材料を横方向に切断するように位置決めかつ構成され、これにより加工済みマスターおよびストック材料の一部分が、前記マスター処理組立体から排出される部分から分離される、請求項１に記載されたマスター処理装置。
【請求項８】  前記切断組立体がブレードを含み、該ブレードが、横方向切断運動するように、前記トレーの横方向に取付けられている、請求項７に記載されたマスター処理装置。
【請求項９】  １対の取外し可能な供給ロールと共に使用するためのマスター処理装置であって、前記取外し可能な供給ロールが、繰出されるストック材料の供給源を担持しており、少なくとも１つのストック材料が接着層を備えている形式のものにおいて、前記装置が、
供給ロールを取外し可能に取付けるように構成かつ配置されたフレームと、
マスター処理組立体と、
マスター処理組立体の動作に影響を及ぼすように構成かつ配置されたアクチュエーターと、を有し、
フレームは、供給ロールがフレームに取り外し可能に取り付けられる時に、マスターが、取外し可能な供給ロールからそれぞれ繰り出されマスターの両側にそれぞれ配置されるストック材料と共に、マスター処理組立体内に挿入可能なように構成かつ配置され、
マスター処理組立体は、マスター処理組立体がマスターとストック材料との間の接着を行なわせその後に処理されたマスターとストック材料とを外方に排出するマスター処理動作を行なうように構成かつ配置され、
前記装置は更に、
ロールから排出される処理済みマスターおよびストック材料の下方への曲げを防止するように処理済みマスターおよびストック材料を事実上平らに受容し支持するよう位置決めかつ構成されている基材支持面を備える送出トレーと、
マスター組立体の前記排出側に配置された切断組立体であり、前記送出トレー上に事実上平らに支持される加工済みマスターおよびストック材料を横方向に切断するように構成されかつ配置される切断組立体と、を有し、
送出トレーは、前記基材支持面に前記横方向に延在する溝を含み、
切断組立体は、ブレードを備え、ブレードは、その一部が前記溝内へ前記支持面の下まで下方に延在し、当該ブレードの一部は横方向への切断運動中に加工済みマスターおよびストック材料を全厚にわたり切断可能である、マスター処理装置。
【請求項１０】  前記切断組立体が、更に横方向に延在するカッターバーを含み、前記ブレードが前記カッターバーに沿って滑り運動するように取付けられている、請求項９に記載されたマスター処理装置。
【請求項１１】  前記切断組立体が、ブレード取付け構造物を含み、前記ブレード取付け構造物が、前記カッターバーに滑動可能に取付けられ、前記ブレードが、前記取付け構造物に取外し可能に取付けられており、前記ブレードの取外し可能の取付けにより、前記ブレードが切れなくなった場合に、前記ブレードを交換可能である、請求項１０に記載されたマスター処理装置。
【請求項１２】  前記カッターバーが前記横方向に延在する溝を有し、かつ前記ブレード取付け構造物が取付けタブを有しており、
前記ブレードの穴を貫通して前記取付けタブを取外し可能に挿入し、かつ前記カッターバー上に前記取付け構造物を取外し可能に取付けることにより、前記ブレードが取外し可能に取付けられ、前記取付けタブが前記ブレードの穴を貫通して前記溝内へ延在する、請求項１１に記載されたマスター処理装置。
【請求項１３】  前記基材支持面が、前記マスター処理組立体から長手方向に延在する概して平行な複数の隆起部を有し、該隆起部が、隆起部間に延在する前記平らな面部分から間隔をおいて、加工済みのマスターおよびストック材料を支持するように構成されている、請求項１１に記載されたマスター処理装置。
【請求項１４】  前記送出トレーがプラスチック製である、請求項１３に記載されたマスター処理装置。
【請求項１５】  前記送出トレーが前記ニップ区域の排出側内へ延在するテーパ付き縁部を有している、請求項１１に記載されたマスター処理装置。
【請求項１６】  更に、前記マスター処理組立体の送出トレーの反対側に隣接配置された供給トレーが含まれ、該供給トレーが、前記マスター処理組立体内へのマスター供給時に、マスターを案内かつ支持するように位置決めかつ構成されたマスター支持面を備えている、請求項１１に記載されたマスター処理装置。
【請求項１７】  前記供給トレーが、前記マスター支持面上のマスターの上向き面に接触するように位置決めかつ構成されたワイパーバーを含み、これにより前記マスター処理組立体内へのマスター供給時に上向き面から屑が払拭され、かつマスターが滑らかにされる、請求項１６に記載されたマスター処理装置。
【請求項１８】  供給ロールは取り外し可能なカートリッジに回転可能に取り付けられ、フレームは、供給ロールを個々に取り外し可能に取り付けるよう構成され配置される、請求項１に記載されたマスター処理装置。
【請求項１９】  フレームは、供給ロールを個々に取り外し可能に取り付けるよう構成され配置される、請求項１に記載されたマスター処理装置。
【請求項２０】  １対の取外し可能な供給ロールと共に使用するためのマスター処理装置であって、前記取外し可能な供給ロールが、繰出されるストック材料の供給源を担持しており、少なくとも１つのストック材料が接着層を備えている形式のものにおいて、前記装置が、
供給ロールを取外し可能に取付けるように構成かつ配置されたフレームと、
マスター処理組立体と、
マスター処理組立体の動作に影響を及ぼすように構成かつ配置されたアクチュエーターと、を有し、
フレームは、供給ロールがフレームに取り外し可能に取り付けられる時に、マスターが、取外し可能な供給ロールからそれぞれ繰り出されマスターの両側にそれぞれ配置されるストック材料と共に、マスター処理組立体内に挿入可能なように構成かつ配置され、
マスター処理組立体は、マスター処理組立体がマスターとストック材料との間の接着を行なわせその後に処理されたマスターとストック材料とを外方に排出するマスター処理動作を行なうように構成かつ配置され、
前記装置は更に、
マスター処理組立体から排出された処理されたマスターとストック材料の一部を受け且つ支持するように位置決めされ構成された基材支持面と、
基材支持面に隣接して配置された切断組立体であり、前記基材支持面上に支持される加工済みマスターおよびストック材料を横方向に切断するように横方向に移動するよう構成されかつ配置される切断組立体と、を有し、
切断組立体は、ブレードを備え、ブレードは、その一部が前記支持面の下まで下方に延在し、当該ブレードの一部の下方への量は横方向への切断運動中に加工済みマスターおよびストック材料の全厚にわたりブレードを切断可能にし、
基材支持面は、横方向に延びる溝を有し、前記ブレードの一部は溝内に収容される、マスター処理装置。
【請求項２１】  切断組立体は更に、横方向に延びるカッターバーを備え、ブレードはカッターバーに沿って滑り運動するよう取り付けられる、請求項２０に記載されたマスター処理装置。
【請求項２２】  切断組立体は、ブレード取り付け構造を備え、ブレード取り付け構造は、カッターバー上に滑り可能に取り付けられ、ブレードはブレード取り付け構造に取り外し可能に取り付けられ、ブレードの取り外し可能な取り付けはブレードが切れなくなった時にブレードの交換を可能にする、請求項２１に記載されたマスター処理装置。
【請求項２３】  カッターバーは、横方向に延びる溝を備え、ブレード取り付け構造は取り付けタブを備え、取り付けタブを穴を通してブレード内に取り外し可能に挿入し、取り付けたタブが当該穴を通って溝内にまで延びるように取り付け構造をカッターバー上に取り外し可能に取り付けることにより、ブレードは取り外し可能に取り付けられる、請求項２２に記載されたマスター処理装置。
【請求項２４】  更に、支持面と溝とを備える送出トレーを有する、請求項２０に記載されたマスター処理装置。
【請求項２５】  供給ロールが取り外し可能なカートリッジ内に回転可能に取り付けられ、フレームは取り外し可能カートリッジを取り外し可能に取り付けるよう構成され配置される、請求項７に記載されたマスター処理装置。
【請求項２６】  供給ロールを個々に取り外し可能に取り付けるよう、フレームが構成され配置される、請求項２０に記載されたマスター処理装置。
【請求項２７】  接着剤は感圧接着剤であり、マスター処理組立体は、熱伝達無しでも接着剤結合を行なってマスター処理動作を行なうよう圧力をマスターとストック材料とに加えるよう構成され配置される、第一と第二の相互作用する構造を備える、請求項１に記載されたマスター処理装置。
【請求項２８】  第一と第二の相互作用する構造は、一対のニップローラである、請求項２７に記載されたマスター処理装置。
【請求項２９】  接着剤は感圧接着剤であり、マスター処理組立体は、熱伝達無しでも接着剤結合を行なってマスター処理動作を行なうよう圧力をマスターとストック材料とに加えるよう構成され配置される、第一と第二の相互作用する構造を備える、請求項９に記載されたマスター処理装置。
【請求項３０】  第一と第二の相互作用する構造は、一対のニップローラである、請求項２９に記載されたマスター処理装置。
【請求項３１】  接着剤は感圧接着剤であり、マスター処理組立体は、接着剤結合を行なってマスター処理動作を行なうよう圧力をマスターとストック材料とに加えるよう構成され配置される、第一と第二の相互作用する構造を備える、請求項１１に記載されたマスター処理装置。
【請求項３２】  第一と第二の相互作用する構造は、一対のニップローラである、請求項３１に記載されたマスター処理装置。
【請求項３３】  接着層は、感圧接着剤で形成され、マスター処理組立体は、圧力をマスターとストック材料とに加えることにより熱伝達無しでもマスター処理動作を行なうよう構成され配置される、請求項７に記載されたマスター処理装置。
【請求項３４】  マスター処理組立体は第一と第二の相互作用する構造を備え、第一と第二の相互作用する構造は、接着剤結合を行なうよう第一と第二の相互作用する構造の間のマスターとストック材料とに圧力を加えるよう構成され配置される、請求項２０に記載されたマスター処理装置。
【請求項３５】  第一と第二の相互作用する構造は、一対の回転可能なニップローラである、請求項２０に記載されたマスター処理装置。
【請求項３６】  切断組立体は、横方向に延びるカッターバーを有し、ブレードはカッターバーに沿って滑り運動するよう取り付けられる、請求項３５に記載されたマスター処理装置。
【請求項３７】  カッターバーは、横方向に延びる溝を有し、ブレード取り付け構造は取り付けタブを有し、
取り付けタブを穴を通してブレード内に取り外し可能に挿入し、取り付けタブが穴を通って溝内にまで延びるよう取り付け構造をカッターバー上に取り外し可能に取り付けることにより、ブレードが取り外し可能に取り付けられる、請求項４に記載されたマスター処理装置。
【請求項３８】  更に、前記支持面と前記溝とを備える送出トレーを有する、請求項２に記載されたマスター処理装置。
【請求項３９】  供給ロールは回転可能に取り外し可能カートリッジに取り付けられ、フレームは取り外し可能カートリッジを取り外し可能に取り付けるよう構成され配置される、請求項２０に記載されたマスター処理装置。
【請求項４０】  フレームは、供給ロールを個々に取り外し可能に取り付けるよう構成され配置される、請求項２０に記載されたマスター処理装置。
【請求項４１】  アクチュエーターはフレームの外で手動で回転可能なクランクハンドルであり、クランクハンドルは、操作可能にニップローラに接続されクランクハンドルの手動回転がニップローラ回転に影響する、請求項３２に記載されたマスター処理装置。
【請求項４２】  クランクハンドルは、ニップローラの一つに直接接続される、請求項４１に記載されたマスター処理装置。
【請求項４３】  クランクはニップローラの一つの心軸にねじ係合してクランクハンドルとニップローラの一つの両方が同軸回転する、請求項４２に記載されたマスター処理装置。
【請求項４４】  前記ニップローラがゴム製スリーブにより被覆されている、請求項４１に記載されたマスター処理装置。
【請求項４５】  前記フレームが１対の対向する側壁を含み、これら側壁のそれぞれが、その内面に概して垂直に延在するニップローラ受容スロットを有しており、双方の前記ニップローラの両端から延びる心軸が前記スロット内へ挿入されることで、前記ニップローラが前記フレームに回転可能に取付けられるように、前記スロットが位置決めかつ構成されており、
装置が、更に１対のばねを含み、該ばねが、前記スロットに隣接する前記フレームに取外し可能に取付けられ、かつ前記回転可能に取付けられたニップローラのうちの上部ローラの軸と係合するように位置決めかつ構成されることによって、前記ニップローラが前記スロット内に回転可能に保持される、請求項４１に記載されたマスター処理装置。
【請求項４６】  前記ばねがＵ字形であり、該ばねの一方の脚が前記上部ニップローラの心軸に係合する、請求項４５に記載されたマスター処理装置。
【請求項４７】  前記フレーム側壁のそれぞれが、側壁の前記内面に送出トレー受容スロットを有しており、
前記送出トレーが、１対の概して外方へ延在する取付けタブを有し、該取付けタブが、前記送出トレー受容スロット内に取外し可能に受容されるように位置決めかつ構成されている、請求項４６に記載されたマスター処理装置。
【請求項４８】  アクチュエーターはフレームの外で手動で回転可能なクランクハンドルであり、クランクハンドルは、操作可能にニップローラに接続されクランクハンドルの手動回転がニップローラ回転に影響する、請求項３２に記載されたマスター処理装置。
【請求項４９】  クランクハンドルは、ニップローラの一つに直接接続される、請求項４８に記載されたマスター処理装置。
【請求項５０】  クランクハンドルはニップローラの一つの心軸にねじ係合してクランクハンドルとニップローラの一つの両方が同軸回転する、請求項４９に記載されたマスター処理装置。
【請求項５１】  前記ニップローラがゴム製スリーブにより被覆されている、請求項４８に記載されたマスター処理装置。
【請求項５２】  前記フレームが１対の対向する側壁を含み、これら側壁のそれぞれが、その内面に概して垂直に延在するニップローラ受容スロットを有しており、双方の前記ニップローラの両端から延びる心軸が前記スロット内へ挿入されることで、前記ニップローラが前記フレームに回転可能に取付けられるように、前記スロットが位置決めかつ構成されており、
装置が、更に１対のばねを含み、該ばねが、前記スロットに隣接する前記フレームに取外し可能に取付けられ、かつ前記回転可能に取付けられたニップローラのうちの上部ローラの軸と係合するように位置決めかつ構成されることによって、前記ニップローラが前記スロット内に回転可能に保持される、請求項４８に記載されたマスター処理装置。
【請求項５３】  前記ばねがＵ字形であり、該ばねの一方の脚が前記上部ニップローラの心軸に係合する、請求項５２に記載されたマスター処理装置。
【請求項５４】  前記フレーム側壁のそれぞれが、側壁の前記内面に送出トレー受容スロットを有しており、
前記送出トレーが、１対の概して外方へ延在する取付けタブを有し、該取付けタブが、前記送出トレー受容スロット内に取外し可能に受容されるように位置決めかつ構成されている、請求項５３に記載されたマスター処理装置。
【請求項５５】  前記カッターバーの両端が、前記送出トレー取付けタブ上方の、前記送出トレー受容スロット内に取付けられている、請求項５４に記載されたマスター処理装置。
【請求項５６】  前記Ｕ字形のばねの前記一方の脚が前記カッターバーと係合し、それにより前記カッターバーと前記送出トレーとが、前記送出トレー受容スロット内に保持される、請求項５５に記載されたマスター処理装置。
【請求項５７】  １対の取外し可能な供給ロールと共に使用するためのマスター処理装置であって、前記取外し可能な供給ロールが、繰出されるストック材料の供給源を担持しており、少なくとも１つのストック材料が接着層を備えている形式のものにおいて、前記装置が、
供給ロールを取外し可能に取付けるように構成かつ配置されたフレームと、
マスター処理組立体と、
マスター処理組立体の動作に影響を及ぼすように構成かつ配置されたアクチュエーターと、を有し、
フレームは、供給ロールがフレームに取り外し可能に取り付けられる時に、マスターが、供給ロールからそれぞれ繰り出されマスターの両側にそれぞれ配置されるストック材料と共に、マスター処理組立体内に挿入可能なように構成かつ配置され、
マスター処理組立体は、マスター処理組立体がマスターとストック材料との間の接着を行なわせその後に処理されたマスターとストック材料とを外方に排出するマスター処理動作を行なうように構成かつ配置され、
前記装置は更に、
マスター処理組立体から排出される処理済みマスターおよびストック材料の下方への曲げを防止するように処理済みマスターおよびストック材料を事実上平らに受容し支持するよう位置決めかつ構成されている基材支持面を備える送出トレーを有し、
前記基材支持面が、マスター処理組立体から長手方向に延在する概して平行な複数隆起部を有し、これらの隆起部が、加工済みのマスターおよびストック材料を、前記隆起部間に延在する前記支持面部分に対し間隔をおいて支持するように構成されている、マスター処理装置。
【請求項５８】  前記送出トレーがプラスチック製である、請求項５７に記載されたマスター処理装置。
【請求項５９】  接着層は感圧接着剤で形成され、マスター処理組立体は、圧力をマスターとストック材料とに加えることにより熱伝達無しでもマスター処理動作を行なうよう構成され配置される、請求項５７に記載されたマスター処理装置。
【請求項６０】  １対の取外し可能な供給ロールと共に使用するためのマスター処理装置であって、前記取外し可能な供給ロールが、繰出されるストック材料の供給源を担持しており、少なくとも１つのストック材料が接着層を備えている形式のものにおいて、前記装置が、
供給ロールを取外し可能に取付けるように構成かつ配置されたフレームと、
マスター処理組立体と、
マスター処理組立体の動作に影響を及ぼすように構成かつ配置されたアクチュエーターと、を有し、
フレームは、供給ロールがフレームに取り外し可能に取り付けられる時に、マスターが、供給ロールからそれぞれ繰り出されマスターの両側にそれぞれ配置されるストック材料と共に、マスター処理組立体内に挿入可能なように構成かつ配置され、
マスター処理組立体は、マスター処理組立体がマスターとストック材料との間の接着を行なわせその後に処理されたマスターとストック材料とを外方に排出するマスター処理動作を行なうように構成かつ配置され、
マスター処理組立体は、一対のニップローラを有し、ニップローラは、マスターとストック材料とに圧力を加えて接着結合しマスター処理動作を行なうよう構成され配置され、
前記フレームが１対の対向する側壁を含み、これら側壁のそれぞれが、その内面に概して垂直に延在するニップローラ受容スロットを有しており、双方の前記ニップローラの両端から延びる心軸が前記スロット内へ挿入されることで、前記ニップローラが前記フレームに回転可能に取付けられるように、前記スロットが位置決めかつ構成されており、
装置が、更に１対のばねを含み、該ばねが、前記スロットに隣接する前記フレームに取外し可能に取付けられ、かつ前記回転可能に取付けられたニップローラのうちの上部ローラの軸と係合するように位置決めかつ構成されることによって、前記ニップローラが前記スロット内に回転可能に保持される、マスター処理装置。
【請求項６１】  ばねがＵ字形であり、該ばねの一方の脚が前記上部ニップローラの心軸に係合する、請求項６０に記載されたマスター処理装置。
【請求項６２】  積層接着移送装置を更に有する、請求項６０に記載されたマスター処理装置。